(57)【要約】【課題】  室内の照明と空調の双方が可能で、設備の省スペース化を図り易く、照明効果を低下させ難くする。【解決手段】  チャンバー部１は、閉じられた閉鎖空間１７を形成し、この閉鎖空間１７に空調用空気が圧入される。照明器具部２３は、閉鎖空間１７内に配置され照明光を発光照射する。フィルター部１５は、照明光の照射方向においてチャンバー部１の少なくとも一部を塞いで閉鎖空間１７を形成し、照明器具部２３からの照明光を減衰させて外部へ透光させ、閉鎖空間１７の空調用空気を外部へ通気させる。【選択図】  図１
2013072626.tif 000002
【特許請求の範囲】
【請求項１】
空調用空気が圧入されその空調用空気に係る閉じられた閉鎖空間を形成するチャンバー部と、
前記閉鎖空間内に配置され照明光を発光照射する照明器具部と、
前記照明光の照射方向において前記チャンバー部の少なくとも一部を形成するよう配置されるとともに前記照明光を減衰させて外部へ透光させるフィルター部であって、前記閉鎖空間の前記空調用空気を外部へ通気させるフィルター部と、
を具備することを特徴とする照明器具付き空気調和装置。
【請求項２】
前記フィルター部は、合成樹脂糸で織られたシート状フィルタからなり、前記照射光の透光率が３０〜９０％で、前記空調用空気の通気量が６〜１７０ｃｃ／ｃｍ2・ｓｅｃである請求項１記載の照明器具付き空気調和装置。
【請求項３】
前記照明器具部はＬＥＤを光源とするものである請求項２記載の照明器具付き空気調和装置。
【請求項４】
前記チャンバー部の下面側が部分的に前記フィルター部で形成されてなる請求項１〜３いずれか１項記載の照明器具付き空気調和装置。
【請求項５】
前記チャンバー部全体が前記フィルター部で形成されてなる請求項１〜３いずれか１項記載の照明器具付き空気調和装置。
【発明の詳細な説明】
【技術分野】
【０００１】
本発明は照明器具付き空気調和装置に係り、空気調和装置に照明器具を一体化させた照明器具付き空気調和装置の改良に関する。
【背景技術】
【０００２】
現在、デスクワークオフィスに限らず、工場、病院、家庭その他、室内には冷房用および又は暖房用エアコンなどの空気調和装置（以下、空調装置という。）が設置されるようになってきた。
【０００３】
この種の空調装置は、一般に室内の空調空気の吹き出し口から冷気や暖気を流出させるから、その吹き出し口付近の人にだけ直接的に冷気や暖気が当たって不快感を生じさせたり、室内温度にむらが生じたり、塵や埃が舞うといった難点があった。
【０００４】
そこで、近年、例えばポリプロピレン（ＰＰ）からなる合成樹脂糸を織った素材で先端閉塞状の袋状ダクトフィルターを形成し、この袋状ダクトフィルターの開口部側を冷気や暖気の吹き出し口に取り付けるとともに室内天井部から吊り下げ配置し、圧力をかけた冷気や暖気を開口部側から袋状ダクトフィルター内へ送り込み、ダクトフィルターの全表面から冷気又は暖気を放出させることが行われるようになってきた。
【０００５】
このような施工を施すことにより、室内の人には風を感じ難く、温度むらの少ない室内環境が得られるし、塵や埃も舞い上がらせ難い。
【０００６】
このような空調装置の公知技術として、例えば特開２０００−２３０７４６号公報（特許文献１）の冷却装置および特開２００９−２２９２６号公報（特許文献２）のソックフィルターが開示されている。
【０００７】
特許文献１は、被冷却室の天井部に取り付けられて冷気を供給する冷却装置において、冷却器および送風機などを内蔵し、その被冷却室から空気を吸引する吸込口を備えた冷却ユニットと、その天井部に吊下され一端がこの冷却ユニットに連通されると共に他端が閉塞された布地製ソックダクトとを備え、その送風機によってその吸込口から空気を吸引し、その冷却器と熱交換させた後、そのソックダクト内に吹き出し、当該ソックダクトより被冷却室内に供給する構成を有し、作業者の体感温度を必要以上に低下させることなく、被冷却室内の物品乾燥を防ぐことができるようにしたものである。
【０００８】
特許文献２は、フィルター層および不燃材層から不燃性ソックフィルターを形成するとともに、その不燃材層の内側に抗菌・防臭材層を備えて構成し、使用範囲が限定されず、丈夫で耐久性に優れたソックフィルターを提供するものである。
【０００９】
ところで、照明装置を空調装置と組み合わせた構成に関する特許文献としては、例えば実用新案登録第３１２５０６７号公報（特許文献３）に示す照明装置一体型エアコンがある。
【００１０】
この特許文献３は、筐体に内蔵された熱交換器と、この熱交換器の空気取込側に形成された空気取込経路と連通して筐体の底部の略中央に形成された開口部と、その空気取込経路に配置されたエアーフイルタと、基板にパワーＬＥＤとヒートシンクが設けられ該基板がその開口部に取り付けられた照明装置と、その空気取込経路と連通する吸気口と、その開口部の外側に配置されて筐体の底部に形成された冷暖気吹き出し口と、熱交換された冷暖気を冷暖気吹き出し口に送風するファンとを備え、その熱交換器に照明装置によって加熱されたエアーが供給される構成を有し、全体として小形で省スペース小型化に適し、省エネにも適するようにしたものである。
【先行技術文献】
【特許文献】
【００１１】
【特許文献１】特開２０００−２３０７４６号公報
【特許文献２】特開２００９−２２９２６号公報
【特許文献３】実用新案登録第３１２５０６７号公報
【発明の開示】
【発明が解決しようとする課題】
【００１２】
しかしながら、上述した特許文献１、２に係る空調装置は、室内に必須の照明器具とは別の位置に独立して施工配置されるのが一般的であり、省スペース化の障害になっていたし、室内の天井空間がすっきりせずに見栄えがよくなかった。
【００１３】
また、上述した特許文献３に係る空調装置は、照明装置の背後に配置した熱交換器からの冷暖気を、照明装置の周囲に設けた吹き出し口から吹き出すものであり、上述した従来の空調装置と同様の難点を有していた。
【００１４】
本発明者は合成樹脂糸を織った素材を用いたダクトフィルターやソックフィルターについて鋭意観察研究した結果、従来、照明器具をフィルタで覆うと室内の照明効果が低下して実用的でないと考えられていたが、工夫によっては照明器具をフィルタで覆っても照明効果の低下を来さず、場合によっては却って良好な照明環境が得られる点に着目し、本発明を完成させた。
【００１５】
例えば、文化財の保管庫においては、文化財に冷気流や暖気流を当てたり照明光を照射させることが好ましくない場合が多い反面、保管庫における作業環境を確保する観点から、少しの照明でも必要な場合が多い。
【００１６】
本発明はそのような課題を解決するためになされたもので、室内の照明と空調の双方が可能で、設備の省スペース化を図り易く、照明効果の得られる照明器具付き空気調和装置の提供を目的とする。
【課題を解決するための手段】
【００１７】
そのような課題を解決するために本発明に係る照明器具付き空気調和装置は、空調用空気が圧入されその空調用空気に係る閉じられた閉鎖空間を形成するチャンバー部と、その閉鎖空間内に配置され照明光を発光照射する照明器具部と、その照明光の照射方向においてチャンバー部の少なくとも一部を形成するよう配置されるとともにその照明光を減衰させて外部へ透光させるフィルター部であって、その閉鎖空間の空調用空気を外部へ通気させるフィルター部とを具備する構成である。
【００１８】
本発明に係る照明器具付き空気調和装置は、上記フィルター部として、合成樹脂糸で織られたシート状フィルタからなり、照射光の透光率が３０〜９０％で、その空調用空気の通気量が６〜１７０ｃｃ／ｃｍ２・ｓｅｃのものを用いるとよい。
【００１９】
本発明に係る照明器具付き空気調和装置は、上記照明器具部としてＬＥＤを光源とする構成が可能である。
【００２０】
本発明に係る照明器具付き空気調和装置は、上記チャンバー部の下面側が部分的にそのフィルター部で形成されてなる構成も可能である。
【００２１】
本発明に係る照明器具付き空気調和装置は、上記チャンバー部全体がそのフィルター部で形成されてなる構成も可能である。
【発明の効果】
【００２２】
このような本発明に係る照明器具付き空気調和装置では、閉鎖空間に配置された照明器具からの照明光が、チャンバー部の少なくとも一部を形成するフィルター部によって減衰されて外部へ照射される一方、チャンバー部の閉鎖空間内に流入された空調用空気がフィルター部を介して外部へ通気されるから、室内の照明と空調の双方が可能で、設備の省スペース化を図り易い。
【００２３】
本発明に係る照明器具付き空気調和装置では、照射光の透光率が３０〜９０％で、前記空調用空気の通気量が６〜１７０ｃｃ／ｃｍ２・ｓｅｃである上記フィルター部を配置すると、特に、室内の良好な照明と良好な空調の双方が可能である。
【００２４】
本発明に係る照明器具付き空気調和装置では、上記照明器具部をＬＥＤで構成すると、特に、柔らかい照明効果を得ることが可能であるうえ、フィルター部を劣化させ難い。
【００２５】
本発明に係る照明器具付き空気調和装置では、上記チャンバー部の下面側を部分的にそのフィルター部で形成すると、下面側から室内への照明と空調の双方が可能である。
【００２６】
本発明に係る照明器具付き空気調和装置では、上記チャンバー部全体をそのフィルター部で形成すると、より広い範囲で室内への照明と空調の双方が可能である。
【図面の簡単な説明】
【００２７】
【図１】本発明に係る照明器具付き空気調和装置の実施の形態を示す概略底面図である。
【図２】図１に示す照明器具付き空気調和装置の概略断面図である。
【図３】図１に示す照明器具付き空気調和装置におけるチャンバー部およびフィルター部を説明する分解斜視図である。
【図４】本発明に係る照明器具付き空気調和装置の他の実施の形態を示す概略断面図である。
【図５】本発明に係る照明器具付き空気調和装置の他の実施の形態を示す概略断面図である。
【図６】本発明に係る照明器具付き空気調和装置の他の実施の形態を示す概略断面図である。
【図７】本発明に係る照明器具付き空気調和装置の他の実施の形態を示す概略横面図である。
【図８】図７に示す照明器具付き空気調和装置に係る要部斜視図である。
【図９】図７に示す照明器具付き空気調和装置に係る要部横断面図である。
【図１０】本発明に係る照明器具付き空気調和装置の他の実施の形態を示す概略断面図である。
【図１１】図１０に示す照明器具付き空気調和装置に係る要部分解斜視図である。
【発明を実施するための最良の形態】
【００２８】
以下、本発明に係る照明器具付き空気調和装置の実施の形態を図面を参照して説明する。
【００２９】
図１および図２は、本発明に係る照明器具付き空気調和装置の実施の一形態を示す概略底面図および概略断面図である。
【００３０】
図１および図２において、チャンバー部１は、例えば、鉄板などの帯状の金属板を長方形状に囲って扁平な長方形枠型に成形加工されてなり、一方（図２中上側）の端面側を内側に折り曲げて形成された当接部３を平らな室内天井部５に当接し、一方の端面側を塞いだ状態で室内天井部５に対し、図示しない部材によって固定されている。
【００３１】
チャンバー部１は、図３に示すように、４辺の各側面部７にあって当接部３とは反対側先端が少し内側に折り曲げられ、枠型の支持辺９を有しており、この支持辺９先端にて長方形状の開口部１１が形成されている。各支持辺９には、複数箇所においてボルト１３が垂下するようにして分散固定されている。
【００３２】
図１および図２に戻って、チャンバー部１内部は、上述した室内天井部５および後述するフィルター部１５とによって閉じられた閉鎖空間１７となっている。
【００３３】
チャンバー部１は、１辺又は複数の側面部７においてダクトパイプ１９が連結されており、ダクトパイプ１９から閉鎖空間１７内に空調用空気が圧入されるようになっている。
【００３４】
ダクトパイプ１９の途中には、図２に示すように、空調用空気を冷却又は加熱する公知の熱交換機２１が配置され、外部からの温度制御によって冷却又は加熱された空調用空気が、例えば５０〜７０パスカル（Ｐａ）の圧力で圧入されるようになっている。
【００３５】
チャンバー部１内すなわち閉鎖空間１７には、照明光を開口部１１側に向けて発光照射する照明器具部２３が配置されている。
【００３６】
照明器具部２３は、閉鎖空間１７内において、図示を省略した支持部材によって室内天井部３又はチャンバー部１の側面部７に水平状態で支持された支持基板２５と、この支持基板２５の下面に配列固定された発光光源としての複数のＬＥＤ（発光ダイオード：light emitting diode）ｄ１〜ｄ２０を有して形成されている。
【００３７】
支持基板２５は、ＬＥＤｄ１〜ｄ２０を支持するとともに、これらに発光駆動信号を供給する回路パターン（図示省略）を有し、チャンバー部１外から図示しない配線を介して供給された発光駆動信号をＬＥＤｄ１〜ｄ２０に供給するものである。
【００３８】
ＬＥＤｄ１〜ｄ２０は、従来公知のものであり、所定の間隔を置いて例えば縦５個、横４列でチャンバー部１の開口部１１相当領域内に配列されており、開口部１１に向けて照射光を発光するものである。ＬＥＤｄ１〜ｄ２０は、主に可視光線を発光し、紫外線および赤外線の発光が極めて少ない。
【００３９】
フィルター部１５は、ＬＥＤｄ１〜ｄ２０からの照明光の照射方向において照射光を遮る位置で、チャンバー部１の開口部１１を塞ぐように配置されており、ＬＥＤｄ１〜ｄ２０からの照明光を減衰させて外部へ透光させるとともに、閉鎖空間１７の空調用空気を外部へ通気させる機能を有している。
【００４０】
フィルター部１５は、図３に示すように、チャンバー部１の平面的内形状と同形又は僅かに小形状の長方形状のシート状のものであり、チャンバー部１の支持辺９と同形状の金属製支持枠２７に対して止着テープ（図示省略）によって止着されて支持されている。支持枠２７は図３以外その図示を省略した。
【００４１】
すなわち、支持枠２７には、例えば無数のループ起毛を有して止着テープの一方を形成する第１の止着テープ部（図示省略）が片面全周にわたって固着されており、フィルター部１５の片面縁部には、その第１の止着テープ部のループ起毛に絡み合う無数のフック突起を有し止着テープの他方を形成する第２の止着テープ部（図示省略）が全周にわたって固着されている。
【００４２】
第１の止着テープ部と第２の止着テープ部を重ねて固着することにより、フィルター部１５が支持枠２７を覆うようにこれに固着されている。
【００４３】
支持枠２７は、これを支持辺９に下方から重なるように当接させたときボルト１３が貫通する貫通孔２９を有しており、貫通孔２９から突出するボルト１３にナット３１をねじ込むことによって支持辺９に固定され、フィルター部１５がチャンバー部１の開口部１１を覆って閉鎖空間１７を形成している。ボルト１３およびナット３１は図３以外その図示を省略した。
【００４４】
なお、図３において、破線で示した楕円は、上述したダクトパイプ１９の連結部である。
【００４５】
フィルター部１５は、例えば、白又は薄灰色のポリプロピレン（ＰＰ）合成樹脂糸を１００μｍ〜２００μｍの目の粗さで、厚み０．１ｍｍ程度に平織り又は綾織りした従来公知のシート状フィルター部材である。
【００４６】
しかも、フィルター部１５は、例えば照射光の透光率が７０％〜８０％で、空調用空気の通気量が１２０ｃｃ／ｃｍ２・ｓｅｃ前後になっており、風速０．３ｍ・ｓｅｃ程度の無風空調状態が得られるように形成されている。
【００４７】
フィルター部１５は、例えば、当接部３を室内天井部５に当接して固定させたチャンバー部１に対し、支持辺９に支持枠２７を当接させ、支持枠２７から突出するボルト１３にナット３１をねじ込むことにより、チャンバー部１の開口部１１を塞いだ状態で固定する方法によって施工される。
【００４８】
このような構成の照明器具付き空気調和装置では、チャンバー部１の閉鎖空間１７内にダクトパイプ１９から例えば冷気が圧入されると、この冷気がフィルター部１５を通気して室内へ流下する。
【００４９】
その際、ＬＥＤｄ１〜ｄ２０が点灯制御されていれば、ＬＥＤｄ１〜ｄ２０からの照射光がフィルター部１５を透光する過程で減衰されるとともに乱反射されながら室内へ照射され、ＬＥＤｄ１〜ｄ２０からの照射光が弱められたり、直線状の光から多方向の光になって照射される。
【００５０】
このような本発明の照明器具付き空気調和装置は、空調用空気が圧入されその空調用空気に係る閉じられた閉鎖空間１７を形成するチャンバー部１と、その閉鎖空間１７内に配置され照明光を発光照射する照明器具部２３としてのＬＥＤｄ１〜ｄ２０と、その照明光の照射方向においてチャンバー部１の下方開口部１１を塞いで閉鎖空間１７を形成し、それらＬＥＤｄ１〜ｄ２０からの照明光を減衰させて外部へ透光させるフィルター部１５であって、閉鎖空間１７の空調用空気を外部へ通気させるフィルター部１５と、を具備する構成である。
【００５１】
しかも、フィルター部１５は、合成樹脂糸で織られたシート状に形成されてなり、照射光の透光率が７０％〜８０％であり、空調用空気の通気量が１２０ｃｃ／ｃｍ２・ｓｅｃ程度となっている。
【００５２】
そのため、フィルター部１５全面から室内の人に感じないほどの例えば０．３ｍ／ｓｅｃ程度の微風が均一で穏やかに吹き出され、吹き出し口周辺だけが寒いとか暖かいとか、直接冷気や暖気が当たるなどの不快感が解消されるうえ、室内の隅々までほぼ均一の温度に保てる他、塵や虫などの異物をフィルター部１５で捕捉してクリーンな空気だけを室内に送ることが可能であるし、室内天井部５の見栄えも良好になる。
【００５３】
そして、直線状の強い光を照射し易いＬＥＤｄ１〜ｄ２０を照明器具２１に用いても、ＬＥＤｄ１〜ｄ２０からの照射光が弱められたり多方向への光になって照射されるから、あたかも間接照明が施されたかのごとき照明環境が提供され、人の目に優しい光となって作業環境が向上する。
【００５４】
しかも、ＬＥＤｄ１〜ｄ２０は、主に可視光線を発光し、特に紫外線の発光が極めて少ないから、合成樹脂糸を織って形成されるフィルター部１５が経時的に劣化し難い利点が得られる。
【００５５】
ところで、上述した本発明に係る実施の形態では、平らな室内天井部５にチャンバー部１の一方の端面側に設けた当接部３を当接して室内天井部５で上端を塞ぐ構成であったが、本発明はこれに限定されない。
【００５６】
例えば、図４に示すように、室内天井部５に形成した凹部３３にチャンバー部１の当接部３側を挿入した状態でチャンバー部１を室内天井部５に固定する構成、更に、図５に示すように、室内天井部５に形成した凹部３３にチャンバー部１を挿入せずに凹部３３を覆うようにチャンバー部１を室内天井部５に固定して塞ぐ構成も可能である。
【００５７】
この図５に示す構成では、チャンバー部１の一方の端面側に設ける当接部３５を外側に折り曲げて形成すれば、当接部３５を室内天井部５に当接されてチャンバー部１の固定が可能である。
【００５８】
いずれの構成も、チャンバー部１、室内天井部５およびフィルター部１５によって閉鎖空間１７が形成されている。もちろん、チャンバー部１およびフィルター部１５のみによって閉鎖空間１７を形成する構成も可能である。
【００５９】
また、チャンバー部１も長方形枠型に限定されないし、形成材料も任意である。
【００６０】
そして、本発明において、フィルター部１５をチャンバー部１に止着する構成も、チャンバー部１の支持辺９に止着する構成に限定されない。
【００６１】
例えば、図６に示すように、チャンバー部１の側面部７おける開口部１１近傍の外周に、第１の止着テープ部３７ａを周囲方向にループ状に固着し、チャンバー部１の外周よりも大径のフィルター部１５の縁部に第２の止着テープ部３７ｂを周囲方向にループ状に固着し、フィルター部１５でチャンバー部１の開口部１１を塞ぐとともに、フィルター部１５の第２の止着テープ部３７ｂをチャンバー部１の第１の止着テープ部３７ａに止着し、支持枠２７を用いずにフィルター部１５のみをチャンバー部１の側面部７に直接固着する構成も可能である。
【００６２】
しかも、フィルター部１５は、チャンバー部１に対して着脱可能に固定すれば、フィルター部１５の交換や洗浄が容易になる。
【００６３】
上述した本発明に係る照明器具付き空気調和装置の実施の形態では、枠型のチャンバー部１の下面側を部分的にフィルター部１５で塞いで閉鎖空間１７を形成したが、本発明では、主としてフィルター部１５によって閉鎖空間１７を形成する構成も可能である。
【００６４】
そして、本発明に係る照明器具付き空気調和装置のフィルター部１５は、照射光の透光率が７０％〜８０％に限らず、３０〜９０％の範囲、好ましくは５０〜８０％の範囲で実施するとよく、空調用空気の通気量も６〜１７０ｃｃ／ｃｍ２・ｓｅｃ、好ましくは５０〜１５０ｃｃ／ｃｍ２・ｓｅｃの範囲で実施するとよく、施工環境に合わせて実施すれば本発明の目的達成が可能である。
【００６５】
図７〜図９は、本発明においてチャンバー部１全体をフィルター部１５で形成した構成を示す図である。
【００６６】
図７〜図９において、照明器具３９は長尺状のものであり、例えば従来公知の棒状の蛍光管や複数のＬＥＤからなる直線状の発光部４１と、この発光部４１の上側にこれに沿ってこれとほぼ等しい長さで配置された反射傘部４３と、それら発光部４１および反射傘部４３の全体を覆うフィルター部４５と、を有して構成されている。すなわち、フィルター部４５はチャンバー部を兼ねている。
【００６７】
反射傘部４３は、発光部４１からの発光光を主に下方へ反射させるものであり、この長手方向中央部において室内天井部５から垂下して延びる支持吊り部４７の先端に支持固定されている。
【００６８】
発光部４１は、反射傘部４３に支持された状態で固定されており、支持吊り部４７に配置されたケーブル（図示省略）を介した駆動電力によって発光するものである。
【００６９】
フィルター部４５は、上述したフィルター部１５とほぼ同材料からなるシート状フィルタを細長い円筒状にして一方の先端が塞がれた長尺袋状の閉鎖空間４９を形成しており、他方の開放端には上述したダクトパイプ（図示省略）が連結されており、冷却又は加熱された空調用空気が圧入されるようになっている。
【００７０】
フィルター部４５には、図８および図９に示すように、その長手方向に沿って発光部４１又は反射傘部４３の長さを有する切り込み部５１が形成されており、切り込み部５１近傍のフィルター部４５内面両側には、例えば上述した第１の止着テープ部３７ａと同様な第１の止着テープ部５３ａが直線状に固着されている。
【００７１】
反射傘部４３において、第１の止着テープ部５３ａの当たる位置には第１の止着テープ部５３ａが止着される第２の止着テープ部５３ｂが直線状に固着されている。
【００７２】
フィルター部４５の切り込み部５１を開き、発光部４１および反射傘部４３ごと全体をフィルター部４５で包み、フィルター部４５の第１の止着テープ部４５ａを反射傘部４３の第２の止着テープ部４５ｂに止着すれば、フィルター部４５が反射傘部４３に仮固定される。
【００７３】
フィルター部４５に対してダクトパイプから冷却又は加熱された空調用空気を圧入すると、フィルター部４５が膨らむとともに、フィルター部４５全面から室内の人に感じないほどの微風が均一で穏やかに吹き出され、上述した実施の形態と同様に直接冷気や暖気が当たるなどの不快感が解消されるうえ、室内の隅々までほぼ均一の温度に保てるなどの効果を得ることが可能である。
【００７４】
そして、発光部４１からの照射光が弱められたり多方向の光になって照射されるから、あたかも間接照明が施されたかのごとき環境が提供され、人の目に優しい光となって作業環境が維持向上される。ＬＥＤで発光部４１が形成されていれば、フィルター部４５を経時的に劣化させ難い。
【００７５】
さらに、図１０および図１１は、本発明に係る照明器具付き空気調和装置に係る更に別の実施の形態を示す概略断面図および要部分解斜視図である。
【００７６】
図において、室内天井部５に形成された円筒状の凹部５５には、円筒状のチャンバー部５７の一方（図１０中上側）がはめ込まれており、凹部５５の内部には空調用空気を圧入するダクトパイプ５７が連結されている。
【００７７】
チャンバー部５７は、上述したチャンバー部１と同材料によって凹部５５の内形状と同じ円筒状に形成されており、他方（図１０中下側）の先端が外側に屈曲されたフランジ５９となって室内天井部５から突出している。
【００７８】
チャンバー部５７の内側中空部にあってフランジ５９の近傍には、照明器具６１としてのＬＥＤや白熱電球からなる発光部６３が配置され、発光照射光が下方へ照射されるようになっている。
【００７９】
フィルター部６５は、上述したフィルター部１５とほぼ同材料からなるシート状体を細長い円筒状にして一方（図１１中下側）の先端を塞ぎ、他方（図１１中上側）の先端が開口された袋状のものであり、開口側から照明器具６１およびフランジ５９を覆うようにしてチャンバー部５７に固定されており、閉鎖空間６７を形成している。
【００８０】
フィルター部６５は、他方の開口側が内側に折り返されて固定されてなり、折り返し部によって形成された環状の孔に、図１１に示すように、１本の紐６９を通してなり、開口側からフランジ５９を覆い、チャンバー部５７外周を締め付けるように紐６９の両端を縛れば、チャンバー部５７に固定されて抜け落ちることがない。紐６９を緩めれば、チャンバー部５７からフィルター部６５を取り外すことが容易である。
【００８１】
このような照明器具付き空気調和装置においても、ダクトパイプ５７から圧入された空調用空気をフィルター部６５から上述したような無風状態で通気させることが可能であるうえ、照明器具６１からの発光照射光があたかも間接照明のごとくなって下方へ照射される。
【００８２】
特に、図１０および図１１に示す構成は、従来からよく施工されていた、室内天井部５にあって空調空気の吹き出し口に円盤状の「アネモ」（図示省略）を用いる構成において、その「アネモ」を外して残りの構成の大部分をそのまま利用して施工可能であるから、構成が簡単で施工費用も安価になり易い。
【００８３】
このように、本発明に係る照明器具付き空気調和装置は、上記チャンバー部１の下面側が部分的にフィルター部１５、６５で形成されてなる構成の他、チャンバー部全体をフィルター部４５で形成することも可能である。
【００８４】
要は、照明光の照射方向においてチャンバー部１、５７の少なくとも一部又は全体をフィルター部１５、４５、６５で形成して閉鎖空間１７、４９、６７を形成すれば、本発明の目的達成が可能である。
【００８５】
また、本発明に係る照明器具付き空気調和装置において、照明器具２１、３９、６１は任意であるが、紫外線を発光しないＬＥＤを用いれば、フィルター部１５、４５、６５などを経時的に劣化させ難い。
【００８６】
さらに、本発明においてチャンバー部１が形成する閉鎖空間１７、４９は、空調用空気を圧入する圧入側すなわちダクトパイプ１９側からみて、空調用空気を漏らし難い空調用空気に係る閉じられた空間である。
【符号の説明】
【００８７】
１、５７  チャンバー部
３、３５  当接部
５  室内天井部
７  側面部
９  支持辺
１１  開口部
１３  ボルト
１５、４５、６５  フィルター部
１７、４９、６７  閉鎖空間
１９、５７  ダクトパイプ
２１  熱交換機
２３、３９、６１  照明器具部
２５  支持基板
２７  支持枠
２９  貫通孔
３７  止着テープ
３７ａ、５３ａ  第１の止着テープ部（止着テープ）
３７ｂ、５３ｂ  第２の止着テープ部（止着テープ）
３１  ナット
３３、５５  凹部
４１、６３  発光部（照明器具部）
４３  反射傘部
４７  支持吊り部
５１  切り込み部
６９  紐
ｄ１〜ｄ２０  ＬＥＤ（照明器具部）
【図１】
2013072626.tif 000003
【図２】
2013072626.tif 000004
【図３】
2013072626.tif 000005
【図４】
2013072626.tif 000006
【図５】
2013072626.tif 000007
【図６】
2013072626.tif 000008
【図７】
2013072626.tif 000009
【図８】
2013072626.tif 000010
【図９】
2013072626.tif 000011
【図１０】
2013072626.tif 000012
【図１１】
2013072626.tif 000013